(57)【特許請求の範囲】
【請求項１】
複数データのそれぞれが少なくとも一つの物理リソースにマッピングされ、それぞれのデータのマッピング先となる物理リソースの数が完全同一にならないように、前記複数データを前記データの数以下の物理リソースにマッピングすることと、
前記物理リソース上のデータを送信することとを含み、
各物理リソースにマッピングされるデータの数は、前記物理リソースの数以下であり、
同一の物理リソースにマッピングされるデータは、線形重畳を経てから送信され、
前記複数データは、
前レイヤにおける各データのマッピング先となる物理リソースの数が次レイヤにおける各データのマッピング先となる物理リソースの数より大きくなるように、複数レイヤに分けられ、
同一種類のレイヤにおいて異なるユーザ機器に属するデータ同士のオーバーラップが最も小さく、異なる種類のレイヤがパターン最大化処理されることを特徴とするデータ伝送方法。
【請求項２】
異なる等価スペクトラム拡散率を有する同一種類のレイヤがパターン最大化処理され、同一の等価スペクトラム拡散率を有する同一種類のレイヤが干渉最小化処理されることを更に含むことを特徴とする請求項１に記載の方法。
【請求項３】
同一レイヤに分けられる異なるデータは、マッピング先となる物理リソースの数が同一であることを特徴とする請求項１に記載の方法。
【請求項４】
前記複数データは、少なくとも２つのユーザ機器に属することを特徴とする請求項１に記載の方法。
【請求項５】
データ受信検出方法であって、
ユーザ機器は、
基地局から送信されるデータを複数物理リソースで受信することと、
前記複数物理リソースでの前記データのマッピング方式に基づいて復調検出を行うこととを含み、
ここで、
前記複数物理リソースには、物理リソースの数以上の複数データがマッピングされ、且つ、前記複数データのそれぞれが少なくとも一つの物理リソースにマッピングされ、それぞれのデータのマッピング先となる物理リソースの数が完全同一にならない、
各物理リソースにマッピングされるデータの数は、前記物理リソースの数以下であり、
同一の物理リソースにマッピングされるデータは、線形重畳を経てから送信され、
前記複数データは、
前レイヤにおける各データのマッピング先となる物理リソースの数が次レイヤにおける各データのマッピング先となる物理リソースの数より大きくなるように、複数レイヤに分けられ、
同一種類のレイヤにおいて異なるユーザ機器に属するデータ同士のオーバーラップが最も小さく、異なる種類のレイヤがパターン最大化処理されることを特徴とするデータ受信検出方法。
【請求項６】
異なる等価スペクトラム拡散率を有する同一種類のレイヤがパターン最大化処理され、同一の等価スペクトラム拡散率を有する同一種類のレイヤが干渉最小化処理されることを更に含むことを特徴とする請求項５に記載の方法。
【請求項７】
同一のレイヤに分けられる異なるデータは、マッピング先となる物理リソースの数が同一であることを特徴とする請求項５に記載の方法。
【請求項８】
前記複数データは、少なくとも２つのユーザ機器に属し、
前記ユーザ機器は、復調検出して、自身に属するデータを得て、
前記ユーザ機器は、シリアル干渉消去方式で復調検出を行うことを特徴とする請求項５に記載の方法。
【請求項９】
前記ユーザ機器は、各データのマッピング先となる物理リソース数が多い方のレイヤのデータを優先的に検出することを特徴とする請求項５又は請求項８に記載の方法。
【請求項１０】
複数データのそれぞれが少なくとも一つの物理リソースにマッピングされ、それぞれのデータのマッピング先となる物理リソースの数が完全同一にならないように、前記複数データを前記データの数以下の物理リソースにマッピングするためのマッピングユニットと、
前記物理リソース上のデータを送信するための送信ユニットとを含み、
各物理リソースにマッピングされるデータの数は、前記物理リソースの数以下であり、
同一の物理リソースにマッピングされるデータは、線形重畳を経てから送信され、
前記複数データは、
前レイヤにおける各データのマッピング先となる物理リソースの数が次レイヤにおける各データのマッピング先となる物理リソースの数より大きくなるように、複数レイヤに分けられ、
同一種類のレイヤにおいて異なるユーザ機器に属するデータ同士のオーバーラップが最も小さく、異なる種類のレイヤがパターン最大化処理されることを特徴とする基地局。
【請求項１１】
更に、異なる等価スペクトラム拡散率を有する同一種類のレイヤがパターン最大化処理され、同一の等価スペクトラム拡散率を有する同一種類のレイヤが干渉最小化処理されることを特徴とする請求項１０に記載の基地局。
【請求項１２】
同一のレイヤに分けられる異なるデータは、マッピング先となる物理リソースの数が同一であることを特徴とする請求項１０に記載の基地局。
【請求項１３】
前記複数データは、少なくとも２つのユーザ機器に属することを特徴とする請求項１０に記載の基地局。
【請求項１４】
ユーザ機器であって、
基地局から送信されるデータを複数物理リソースで受信するための受信ユニットと、
前記複数物理リソースでの前記データのマッピング方式に基づいて復調検出を行うための復調ユニットとを含み、
ここで、
前記複数物理リソースには、物理リソースの数以上の複数データがマッピングされ、且つ、複数データのそれぞれが少なくとも一つの物理リソースにマッピングされ、それぞれのデータのマッピング先となる物理リソースの数が完全同一にならない、
各物理リソースにマッピングされるデータの数は、前記物理リソースの数以下であり、
同一の物理リソースにマッピングされるデータは、線形重畳を経てから送信され、
前記複数データは、
前レイヤにおける各データのマッピング先となる物理リソースの数が次レイヤにおける各データのマッピング先となる物理リソースの数より大きくなるように、複数レイヤに分けられ、
同一種類のレイヤにおいて異なるユーザ機器に属するデータ同士のオーバーラップが最も小さく、異なる種類のレイヤがパターン最大化処理されることを特徴とするユーザ機器。
【請求項１５】
更に、異なる等価スペクトラム拡散率を有する同一種類のレイヤがパターン最大化処理され、同一の等価スペクトラム拡散率を有する同一種類のレイヤが干渉最小化処理されることを特徴とする請求項１４に記載のユーザ機器。
【請求項１６】
同一のレイヤに分けられる異なるデータは、マッピング先となる物理リソースの数が同一であることを特徴とする請求項１４に記載のユーザ機器。
【請求項１７】
前記複数データは、少なくとも２つのユーザ機器に属し、
前記ユーザ機器は、復調検出して、自身に属するデータを得て、
前記ユーザ機器は、シリアル干渉消去方式で復調検出を行うことを特徴とする請求項１４に記載のユーザ機器。
【請求項１８】
各データのマッピング先となる物理リソース数が多い方のレイヤのデータを優先的に検出することを特徴とする請求項１４又は請求項１７に記載のユーザ機器。
【発明の詳細な説明】
【技術分野】
【０００１】
本願は、２０１４年１月２２日に中国特許庁に提出された中国特許出願２０１４１００３０８６２．９（発明の名称：「データ伝送方法、データ受信検出方法及び基地局、ユーザ機器」）の優先権を主張し、その全ての内容が援用により本願に取り込まれる。
【０００２】
本発明は、通信技術に関し、特にデータ伝送方法、データ受信検出方法及び基地局、ユーザ機器に関する。
【背景技術】
【０００３】
４Ｇシステムは、線形受信機と直交送信の基本的思想に基づいて設計される。線形受信機は、性能の保証があると同時に、工学的に実現されやすいため、採用される。直交送信に基づくことは、直交送信により、受信側が工学的に実現されやすいからである。図１は、直交設計に基づく模式図であり、直交する物理リソースで異なるデータがそれぞれ伝送され、各物理リソースで一つのデータが伝送され、各データが直交であり、干渉がない。
【０００４】
無線リソースが限られているため、直交システムは、マルチユーザ伝送のシステム容量に達することができない。直交方式によるデータ伝送の不備は、システム容量が比較的低く、即ちシステムのデータ伝送力が比較的低いことである。
【０００５】
現在、エネルギー割当原則に基づく非直交多元接続方式は、ＮＴＴ  ＤｏＣｏＭｏにより提案され（ＷＯ２０１２１６１０８０を参照）、直交システムより性能の向上が見られるが、エネルギー割当の自由度に制限があるため、そのシステム容量が相変わらず充分ではなく、システムのデータ伝送力が比較的低い。
【発明の概要】
【０００６】
本発明の実施例は、通信システムのデータ伝送力を向上させるための、非直交方式に基づくデータ伝送方法、データ受信検出方法及び基地局、ユーザ機器を提供する。
【０００７】
本発明の実施例によるデータ伝送方法は、複数データのそれぞれが少なくとも一つの物理リソースにマッピングされ、それぞれのデータのマッピング先となる物理リソースの数が完全同一にならないように、前記複数データを前記データの数以下の物理リソースにマッピングすることと、前記物理リソース上のデータを送信することとを含む。
【０００８】
データを送信する物理リソースの数がデータの数より小さいため、通信システムのデータ伝送力が向上する。
【０００９】
リソースの無駄遣いを避けるため、各物理リソースにマッピングされるデータの数は、前記物理リソースの数以下である。
【００１０】
同一の物理リソースにマッピングされるデータは、重畳を経てから送信されることが好ましい。
【００１１】
更に、前記重畳は、線形重畳である。
【００１２】
前記複数データは、前レイヤにおける各データのマッピング先となる物理リソースの数が次レイヤにおける各データのマッピング先となる物理リソースの数より大きくなるように、複数レイヤに分けられることが好ましく、ここで、同一種類のレイヤにおいて異なるユーザに属するデータ同士のオーバーラップが最も小さく、異なる種類のレイヤがパターン最大化処理される。
【００１３】
当該方法において、異なる等価スペクトラム拡散率を有する同一種類のレイヤがパターン最大化処理され、同一の等価スペクトラム拡散率を有する同一種類のレイヤが干渉最小化処理されることを更に含む。
【００１４】
更に、同一レイヤに分けられる異なるデータは、マッピング先となる物理リソースの数が同一である。
【００１５】
更に、前記複数データは、少なくとも２つのユーザに属する。
【００１６】
本発明の実施例によるデータ受信検出方法において、ＵＥは、基地局から送信されるデータを複数物理リソースで受信することと、前記複数物理リソースでの前記データのマッピング方式に基づいて復調検出を行うこととを含み、ここで、前記複数物理リソースには、物理リソースの数以上の複数データがマッピングされ、且つ、前記複数データのそれぞれが少なくとも一つの物理リソースにマッピングされ、それぞれのデータのマッピング先となる物理リソースの数が完全同一にならない。
【００１７】
データを送信する物理リソースの数がデータの数より小さいため、通信システムのデータ伝送力が向上する。
【００１８】
リソースの無駄遣いを避けるために、各物理リソースにマッピングされるデータの数は、前記物理リソースの数以下である。
【００１９】
同一の物理リソースにマッピングされるデータは、重畳を経てから送信されることが好ましい。
【００２０】
更に、前記重畳は、線形重畳である。
【００２１】
更に、前記複数データは、前レイヤにおける各データのマッピング先となる物理リソースの数が次レイヤにおける各データのマッピング先となる物理リソースの数より大きくなるように、複数レイヤに分けられることが好ましく、ここで、同一種類のレイヤにおいて異なるユーザに属するデータ同士のオーバーラップが最も小さく、異なる種類のレイヤがパターン最大化処理される。
【００２２】
当該方法において、異なる等価スペクトラム拡散率を有する同一種類のレイヤがパターン最大化処理され、同一の等価スペクトラム拡散率を有する同一種類のレイヤが干渉最小化処理されることを更に含む。
【００２３】
更に、同一のレイヤに分けられる異なるデータは、マッピング先となる物理リソースの数が同一である。
【００２４】
前記複数データは、少なくとも２つのユーザに属し、前記ＵＥは、復調検出して、自身に属するデータを得ることが好ましい。
【００２５】
更に、前記ＵＥは、シリアル干渉消去方式で復調検出を行う。
【００２６】
更に、前記ＵＥは、各データのマッピング先となる物理リソース数が多い方のレイヤのデータを優先的に検出する。
【００２７】
本発明の実施例による基地局は、複数データのそれぞれが少なくとも一つの物理リソースにマッピングされ、それぞれのデータのマッピング先となる物理リソースの数が完全同一にならないように、前記複数データを前記データの数以下の物理リソースにマッピングするためのマッピングユニットと、前記物理リソース上のデータを送信するための送信ユニットとを含む。
【００２８】
データを送信する物理リソースの数がデータの数より小さいため、通信システムのデータ伝送力が向上する。
【００２９】
リソースの無駄遣いを避けるために、各物理リソースにマッピングされるデータの数は、前記物理リソースの数以下である。
【００３０】
同一の物理リソースにマッピングされるデータは、重畳を経てから送信されることが好ましい。
【００３１】
更に、前記重畳は、線形重畳である。
【００３２】
前記複数データは、前レイヤにおける各データのマッピング先となる物理リソースの数が次レイヤにおける各データのマッピング先となる物理リソースの数より大きくなるように、複数レイヤに分けられることが好ましく、ここで、同一種類のレイヤにおいて異なるユーザに属するデータ同士のオーバーラップが最も小さく、異なる種類のレイヤがパターン最大化処理される。
【００３３】
更に、異なる等価スペクトラム拡散率を有する同一種類のレイヤがパターン最大化処理され、同一の等価スペクトラム拡散率を有する同一種類のレイヤが干渉最小化処理される。
【００３４】
更に、同一のレイヤに分けられる異なるデータは、マッピング先となる物理リソースの数が同一である。
【００３５】
更に、前記複数データは、少なくとも２つのユーザに属する。
【００３６】
本発明の実施例によるユーザ機器は、基地局から送信されるデータを複数物理リソースで受信するための受信ユニットと、前記複数物理リソースでの前記データのマッピング方式に基づいて復調検出を行うための復調ユニットとを含み、ここで、前記複数物理リソースには、物理リソースの数以上の複数データがマッピングされ、且つ、複数データのそれぞれが少なくとも一つの物理リソースにマッピングされ、それぞれのデータのマッピング先となる物理リソースの数が完全同一にならない。
【００３７】
データを送信する物理リソースの数がデータの数より小さいため、通信システムのデータ伝送力が向上する。
【００３８】
リソースの無駄遣いを避けるために、各物理リソースにマッピングされるデータの数は、前記物理リソースの数以下である。
【００３９】
同一の物理リソースにマッピングされるデータは、重畳を経てから送信されることが好ましい。
【００４０】
更に、前記重畳は、線形重畳である。
【００４１】
前記複数データは、前レイヤにおける各データのマッピング先となる物理リソースの数が次レイヤにおける各データのマッピング先となる物理リソースの数より大きくなるように、複数レイヤに分けられることが好ましく、ここで、同一種類のレイヤにおいて異なるユーザに属するデータ同士のオーバーラップが最も小さく、異なる種類のレイヤがパターン最大化処理される。
【００４２】
更に、異なる等価スペクトラム拡散率を有する同一種類のレイヤがパターン最大化処理され、同一の等価スペクトラム拡散率を有する同一種類のレイヤが干渉最小化処理される。
【００４３】
更に、同一のレイヤに分けられる異なるデータは、マッピング先となる物理リソースの数が同一である。
【００４４】
前記複数データは、少なくとも２つのユーザに属し、前記ＵＥは、復調検出して、自身に属するデータを得ることが好ましい。
【００４５】
更に、前記ＵＥは、シリアル干渉消去方式で復調検出を行う。
【００４６】
更に、前記ＵＥは、各データのマッピング先となる物理リソース数が多い方のレイヤのデータを優先的に検出する。
【００４７】
本発明の実施例による基地局は、メモリの中のプログラムを読み出して、下記プロセスを実行するためのプロセッサと、プロセッサによる制御でデータを送受信するためのトランシーバとを含む。当該プロセスにおいて、複数データのそれぞれが少なくとも一つの物理リソースにマッピングされ、それぞれのデータのマッピング先となる物理リソースの数が完全同一にならないように、前記複数データを前記データの数以下の物理リソースにマッピングする。前記物理リソース上のデータは、トランシーバにより送信される。
【００４８】
データを送信する物理リソースの数がデータの数より小さいため、通信システムのデータ伝送力が向上する。
【００４９】
リソースの無駄遣いを避けるために、前記プロセッサは、各物理リソースにマッピングされるデータの数を、前記物理リソースの数以下にする。
【００５０】
前記トランシーバは、同一の物理リソースにマッピングされるデータを重畳後に送信することが好ましい。
【００５１】
更に、前記トランシーバは、用いる前記重畳を線形重畳とする。
【００５２】
前記プロセッサは、前レイヤにおける各データのマッピング先となる物理リソースの数が次レイヤにおける各データのマッピング先となる物理リソースの数より大きくなるように、前記複数データを複数レイヤに分けることが好ましく、ここで、同一種類のレイヤにおいて異なるユーザに属するデータ同士のオーバーラップが最も小さく、異なる種類のレイヤがパターン最大化処理される。
【００５３】
更に、異なる等価スペクトラム拡散率を有する同一種類のレイヤがパターン最大化処理され、同一の等価スペクトラム拡散率を有する同一種類のレイヤが干渉最小化処理される。
【００５４】
更に、前記プロセッサは、同一のレイヤに分けられる異なるデータを、同一数の物理リソースにマッピングする。
【００５５】
前記複数データは、少なくとも２つのユーザに属することが好ましい。
【００５６】
本発明の実施例によるユーザ機器は、トランシーバとプロセッサとを含む。トランシーバは、プロセッサによる制御でデータを送受信する。プロセッサは、メモリの中のプログラムを読み出して、以下のプロセスを実行する。当該プロセスにおいて、基地局から送信されるデータをトランシーバにより複数物理リソースで受信し、前記複数物理リソースでの前記データのマッピング方式に基づいて復調検出を行う。ここで、前記複数物理リソースには、物理リソースの数以上の複数データがマッピングされ、且つ、複数データのそれぞれが少なくとも一つの物理リソースにマッピングされ、それぞれのデータのマッピング先となる物理リソースの数が完全同一にならない。
【００５７】
データを送信する物理リソースの数がデータの数より小さいため、通信システムのデータ伝送力が向上する。
【００５８】
リソースの無駄遣いを避けるために、各物理リソースにマッピングされるデータの数は、前記物理リソースの数以下である。
【００５９】
同一の物理リソースにマッピングされるデータは、重畳を経てから送信されることが好ましい。
【００６０】
更に、前記重畳は、線形重畳である。
【００６１】
前記複数データは、前レイヤにおける各データのマッピング先となる物理リソースの数が次レイヤにおける各データのマッピング先となる物理リソースの数より大きくなるように、複数レイヤに分けられることが好ましく、ここで、同一種類のレイヤにおいて異なるユーザに属するデータ同士のオーバーラップが最も小さく、異なる種類のレイヤがパターン最大化処理される。
【００６２】
更に、異なる等価スペクトラム拡散率を有する同一種類のレイヤがパターン最大化処理され、同一の等価スペクトラム拡散率を有する同一種類のレイヤが干渉最小化処理される。
【００６３】
更に、同一のレイヤに分けられる異なるデータは、マッピング先の物理リソースの数が同一である。
【００６４】
更に、前記複数データは、少なくとも２つのユーザに属し、前記トランシーバは、復調検出して、自身に属するデータを得る。
【００６５】
更に、前記トランシーバは、シリアル干渉消去方式で復調検出を行う。
【００６６】
更に、前記プロセッサは、各データのマッピング先となる物理リソース数が多い方のレイヤのデータを優先的に検出する。
【発明の効果】
【００６７】
本発明の実施例は、非直交方式に基づくデータ伝送方法、データ受信検出方法及び基地局、ユーザ機器を提供する。基地局からのデータ送信時に、まず、複数データのそれぞれが少なくとも一つの物理リソースにマッピングされ、それぞれのデータのマッピング先となる物理リソースの数が完全同一にならないように、前記複数データを前記データの数以下の物理リソースにマッピングし、それから物理リソース上のデータを送信する。よって、多いデータの少ない物理リソースによる送信が実現され、通信システムのデータ伝送力が向上する。
【図面の簡単な説明】
【００６８】
【図１】従来技術の直交方式によるデータ伝送の模式図である。
【図２】本発明の実施例によるデータ伝送方法のフローチャートである。
【図３ａ】本発明の実施例による３つデータの伝送模式図である。
【図３ｂ】本発明の実施例によるＬＴＥシステムで３つデータ伝送の具体的実現方式模式図である。
【図３ｃ】本発明の実施例による２つデータの伝送模式図である。
【図４】本発明の実施例による５つデータの伝送模式図である。
【図５】本発明の実施例によるデータ受信検出方法のフローチャートである。
【図６】本発明の実施例のより具体的なデータ受信検出方法のフローチャートである。
【図７】本発明の実施例による基地局の第１模式図である。
【図８】本発明の実施例によるユーザ機器の第１模式図である。
【図９】本発明の実施例による基地局の第２模式図である。
【図１０】本発明の実施例によるユーザ機器の第２模式図である。
【発明を実施するための形態】
【００６９】
本発明の実施例の目的、技術及び利点をより明確にするために、以下、本発明の実施例における図面とともに、本発明の実施例の技術を明確的且つ詳細に記載する。記載する実施例は、本発明の一部の実施例に過ぎず、ずべての実施例ではないことが明らかである。当業者が創造性のある作業を付することなく得られるその他の全ての実施例は、いずれも本発明による保護範囲に属するものである。
【００７０】
なお、本発明の技術は、例えば、ＧＳＭ（登録商標）（Ｇｌｏｂａｌ  Ｓｙｓｔｅｍ  ｏｆ  Ｍｏｂｉｌｅ  ｃｏｍｍｕｎｉｃａｔｉｏｎ）システム、ＣＤＭＡ（Ｃｏｄｅ  Ｄｉｖｉｓｉｏｎ  Ｍｕｌｔｉｐｌｅ  Ａｃｃｅｓｓ）システム、ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）システム、ＧＰＲＳ（Ｇｅｎｅｒａｌ  Ｐａｃｋｅｔ  Ｒａｄｉｏ  Ｓｅｒｖｉｃｅ）、ＬＴＥ（Ｌｏｎｇ  Ｔｅｒｍ  Ｅｖｏｌｕｔｉｏｎ）システム、ＬＴＥ−Ａ（Ａｄｖａｎｃｅｄ  ｌｏｎｇ  ｔｅｒｍ  ｅｖｏｌｕｔｉｏｎ）システム、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）など、各種類の通信システムに応用することができる。
【００７１】
また、本発明の実施例において、ユーザ機器ＵＥ（Ｕｓｅｒ  Ｅｑｕｉｐｍｅｎｔ）は、ＭＳ（Ｍｏｂｉｌｅ  Ｓｔａｔｉｏｎ）、移動端末（Ｍｏｂｉｌｅ  Ｔｅｒｍｉｎａｌ）、移動電話（Ｍｏｂｉｌｅ  Ｔｅｌｅｐｈｏｎｅ）、ハンドセット（ｈａｎｄｓｅｔ）及び携帯機器（ｐｏｒｔａｂｌｅ  ｅｑｕｉｐｍｅｎｔ）などを含むが、それらに限られない。当該ユーザ機器は、ＲＡＮ（Ｒａｄｉｏ  Ａｃｃｅｓｓ  Ｎｅｔｗｏｒｋ）を介して一つ又は複数のコアネットワークと通信することができる。例えば、ユーザ機器は、移動電話（或いは「セルラー」フォンと称される）、無線通信機能を有するコンピュータなどであってもよい。更に、ユーザ機器は、携帯式、ポケッタブル式、ハンドヘルド式、コンピュータ内蔵式又は車載の移動装置であってもよい。
【００７２】
本発明の実施例において、基地局（例えばアクセスポイント）は、アクセスネットワークにおいて、エアインターフェースで一つ又は複数のセクターを介して無線端末と通信する機器である。基地局は、受信するエアフレームとＩＰパケットの相互変換したり、無線端末とアクセスネットワークのほかの部分との間のルータとしたりする。ここで、アクセスネットワークのほかの部分は、ＩＰネットワークを含む。基地局は、エアインターフェースに対する属性管理を調和することもできる。例えば、基地局は、ＧＳＭ又はＣＤＭＡにおける基地局ＢＴＳ（Ｂａｓｅ  Ｔｒａｎｓｃｅｉｖｅｒ  Ｓｔａｔｉｏｎ）であってもよく、ＷＣＤＭＡにおける基地局（ＮｏｄｅＢ）であってもよく、更にＬＴＥの進化型基地局（ＮｏｄｅＢ又はｅＮＢ又はｅ−ＮｏｄｅＢ，  ｅｖｏｌｕｔｉｏｎａｌ  Ｎｏｄｅ  Ｂ）であってもよい。本発明では、限定をしない。
【００７３】
本発明の実施例は、非直交方式に基づくデータ伝送方法、データ受信検出方法及び基地局、ユーザ機器を提供する。基地局からのデータ送信時に、まず、複数データのそれぞれが少なくとも一つの物理リソースにマッピングされ、それぞれのデータのマッピング先となる物理リソースの数が完全同一にならないように、前記複数データを前記データの数以下の物理リソースにマッピングし、それから物理リソース上のデータを送信する。よって、多いデータの少ない物理リソースによる送信が実現され、通信システムのデータ伝送力が向上する。
【００７４】
図２に示すように、本発明の実施例によるデータ伝送方法は、以下のステップを含む。
【００７５】
ステップＳ２０１において、複数データをデータの数以下の物理リソースにマッピングし、且つ複数データのそれぞれが少なくとも一つの物理リソースにマッピングされ、それぞれのデータのマッピング先となる物理リソースの数が完全同一にならない。
【００７６】
ステップＳ２０２において、前記物理リソース上のデータを送信する。
【００７７】
データを送信する物理リソースの数がデータの数より小さいため、通信システムのデータ伝送力が向上する。
【００７８】
電力制御により、各物理リソースで送信されるデータの数を物理リソースの数より大きくすることができるが、リソースの無駄遣いを避けるため、各物理リソースにマッピングされるデータの数を、前記物理リソースの数以下にする。
【００７９】
同一の物理リソース上のデータを重畳の方式で送信することが好ましい。即ち、同一の物理リソースにマッピングされるデータは、重畳を経てから送信される。ここで、当該重畳は、線形重畳である。
【００８０】
マッピングの際に、複数データは、前レイヤにおける各データのマッピング先となる物理リソースの数が次レイヤにおける各データのマッピング先となる物理リソースの数より大きくなるように、複数レイヤに分けられることが好ましい。更に、同一レイヤに分けられる異なるデータは、マッピング先となる物理リソースの数が同一である。ここで、同一種類のレイヤにおいて異なるユーザに属するデータ同士のオーバーラップが最も小さく、異なる種類のレイヤがパターン最大化処理される。
【００８１】
更に、異なる等価スペクトラム拡散率（即ち０ではない元素の個数）を有する同一種類のレイヤをパターン最大化処理し、同一の等価スペクトラム拡散率を有する同一種類のレイヤを干渉最小化処理する。
【００８２】
パターン最大化処理とは、各種類レイヤの数が最も多くなるように保証することである。
【００８３】
上述した原則に基づき、以下、Ｎ＝２、Ｎ＝３、Ｎ＝４を例として説明し、システムスペクトラム拡散行列をそれぞれ以下３つの式で示す。
【数１】
0006293292.tif 000002
【数２】
0006293292.tif 000003
【数３】
0006293292.tif 000004
【００８４】
上述したように、Ｎ＝３の例では、３／２／１の異なる種類のレイヤがある。有効スペクトラム拡散率（即ち列が１ではない個数）が３であるレイヤについて、同一種類レイヤ同士で干渉最小化がされた場合に、３種類の異なる分布のパターンがある。有効スペクトラム拡散率が２であるレイヤについて、同一種類レイヤ同士で干渉最小化がされた場合に、３つの異なるパターンがある。有効スペクトラム拡散率が１であるレイヤについて、同一種類レイヤ同士で干渉最小化がされた場合に、一種類のパターンしかない。このように、パターン最大化が実現される。
【００８５】
Ｎ＝２、４の場合に、Ｎ＝３をベースとして類推できるが、ここでは繰り返して説明しない。
【００８６】
更に、複数データは、一つのユーザに属してもよいが、少なくとも２つのユーザに属してもよい。
【００８７】
複数データが少なくとも２つのユーザに属するとき、基地局は、まず少なくとも２つのユーザのＮ個データをＫレイヤに分け、それから計Ｍ（Ｎ＞Ｍ）個非相関物理リソースで前記Ｎ個データを送信する。ここで、同一レイヤのデータについて、当該データ送信用の非相関物理リソースの数が同一であり、且つ、次レイヤの各データ送信用の非相関物理リソースの数より大きい。
【００８８】
基地局がＮ個ユーザのデータをＫレイヤに分けてＭ個物理リソースで送信するため、前レイヤのデータの送信ダイバーシティ階数より、次レイヤのデータの送信ダイバーシティ階数が小さい。シリアル干渉消去受信機に基づくデータストリームのダイバーシティ階数は、第１レイヤで最も低く取得され、その後レイヤ毎に逓増する。一方、本発明の実施例による送信方式に基づくと、前レイヤのデータの送信ダイバーシティ階数より、次レイヤのデータの送信ダイバーシティ階数が小さくなり、第１レイヤのデータの送信ダイバーシティ階数が最も大きい。よって、シリアル干渉消去受信機による検出後の各レイヤデータのダイバーシティ階数が近いことが保証され、ユーザが自身対応データを解きやすい。
【００８９】
ここで、送信ダイバーシティ階数とは、当該データ送信用の非相関物理リソースの数である。２つの相関しない物理リソースで搬送するデータが相関しないが、同一の物理リソースで複数データを搬送すると、当該複数データが相関する。通常、同一の物理リソースでは、線形重畳の方式で複数データの送信が行われる。
【００９０】
電力制御により、各物理リソースで送信するデータの数をＭより大きくする（即ちＫ＞Ｍ）ことができるが、Ｋ＞Ｍになると、必要のないリソース無駄遣いになりがちである。通常の場合、Ｋ≦Ｍの場合に、ＵＥが自身対応データを解けるため、基地局は、各物理リソースでＭ以下のデータを送信することが好ましい。
【００９１】
基地局が一定粒度の物理リソースですべてＭ個データを送信することが好ましく、リソースの無駄遣いを軽減するとともに、ユーザが自身対応データをより正確に解きやすい。
【００９２】
受信側において、シリアル干渉消去受信方式で信号検出を行う。シリアル干渉消去受信機に基づき、第ｉレイヤのデータストリームの受信ダイバーシティ階数は、次となる。
Ｎダイバーシティ階数＝ＮＲ−ＮＴ＋ｉ
ここで、ＮＲ：データの送信ダイバーシティ階数と受信アンテナ数の和；
ＮＴ：データの送信アンテナ数。
【００９３】
シリアル干渉消去による検出時に、第１レイヤのシリアル干渉消去により検出されたデータについて、検出によるダイバーシティ階数が最も低く、次レイヤの検出によるダイバーシティ階数は、前レイヤの検出によるダイバーシティ階数に１を加算したものである。ここから分かるように、シリアル干渉消去受信機のシステム性能は、第１レイヤの干渉消去の正確度により決まる。これに基づき、本発明の実施例は、非直交送信方式を提供し、その送信の基本的原則として、前レイヤのデータの送信ダイバーシティ階数を次レイヤのデータの送信ダイバーシティ階数より大きくすることである。よって、各レイヤデータのシリアル干渉消去後のダイバーシティ階数が近いことが保証される。
【００９４】
データストリームについて、周波数、空間又は時間などのうちの一つの次元で物理リソースの非相関が考えられ、いずれか２つの次元で物理リソースの非相関も考えられ、これをもって類推する。
【００９５】
３つのユーザ、２つの非相関物理リソースを例とし、図３ａに示すように、以下のような方式で送信する。
【数４】
0006293292.tif 000005
【００９６】
ここで、ユーザ１から最初に送信するＳ１と２番目に送信するＳ１とは、時間、又は周波数、又は空間で非相関であるため、受信側で２つのダイバーシティ階数の取得が保証される。１＊２のＳＩＭＯ（シングル入力マルチ出力）システムの場合、ユーザ１のシンボルＳ１のダイバーシティ階数が２であるため、信頼性が最も高く、最も先に復調される。このとき、シリアル干渉消去受信機による検出後の信号Ｓ１のダイバーシティ階数は、次になる。
４＝２（２つのシンボル）＋２（２本の受信アンテナ）−１＋１
【００９７】
第１シンボルＳ１の復調後に、ユーザ２、ユーザ３のデータＳ２、Ｓ３の検出後ダイバーシティ階数は、次になる。
４＝１（１つのシンボル）＋２（２本の受信アンテナ）−１＋２
【００９８】
マルチデータストリームシステムの場合、各データストリームの受信ダイバーシティ階数が同じであると、対応する送信方式は、信頼性のあるものであり、同様に、２つ以上のデータストリームの場合にも拡張することができる。
【００９９】
ＬＴＥシステムを例とし、上述の送信を実現したい場合、図３ｂに示す方式で送信することができる。図３ｂにおいて、縦方向は、周波数ドメインを示し、横方向は、時間を示し、ユーザ１、２のデータは、第１周波数ドメイン領域で送信され、データ１、３のデータは、第２周波数ドメイン領域で送信される。
【０１００】
図３ｃに示すように、２つの直交する物理リソースでも、２つのデータの送信に用いられてもよい。この場合、ユーザ２は、２つの直交する物理リソースでそれぞれＳ２とＳ２´を送信することができる。
【０１０１】
５つのユーザ、３つの非相関物理リソースの場合に、好ましい送信方式は、図４に示され、以下のような方式で送信する。
【数５】
0006293292.tif 000006
【０１０２】
即ち、第１個物理リソースで第１、第２、第５個データを送信し、第２個物理リソースで第１、第２、第３個データを送信し、第３個物理リソースで第１、第３、第４個データを送信し、各ユーでデータの送信ダイバーシティ階数の関係は、ユーザ１＞ユーザ２＝ユーザ３＞ユーザ４＝ユーザ５である。送信アンテナ数と受信アンテナ数をともに３本と仮定すると、各ユーザの受信ダイバーシティ階数は、次になる。
【数６】
0006293292.tif 000007
【０１０３】
図４に示す送信方式は、行列で次のように示されてもよい。
【数７】
0006293292.tif 000008
【０１０４】
計Ｍ個非相関物理リソースでＮ個データを送信する場合に、基地局は、以下の方式で送信することができる。
【数８】
0006293292.tif 000009
【０１０５】
【数９】
0006293292.tif 000010
【０１０６】
以下の方式でレイヤ分けと送信を行うことが好ましい。
【数１０】
0006293292.tif 000011
【０１０７】
ここで、行重みとは、当該行における１の個数であり、当該行重みが、対応するデータの送信用の物理リソースの個数に等しく、このとき、ｎ１＞ｎ２＝ｎ３≧…≧ｎＮ。
【０１０８】
又は、Ｋ＝Ｍの場合に、下記のＭ次元行列として示すこともできる。
【数１１】
0006293292.tif 000012
【０１０９】
このとき、第１個物理リソースで、第１行データの和、即ちＳ１＋Ｓ２＋Ｓ４＋……＋ＳＮを送信し、
第２個物理リソースで、第２行データの和、即ちＳ３＋Ｓ１＋Ｓ２＋……＋ＳＮ−２を送信し、
……
第Ｍ個物理リソースで、第Ｍ行データの和、即ちＳＮ−１＋……＋Ｓ５＋Ｓ３＋Ｓ１を送信するか、
又は、
第１個物理リソースで、第１列データの和、即ちＳ１＋Ｓ３＋Ｓ５＋……＋ＳＮ−１を送信し、
第２個物理リソースで、第２列データの和、即ちＳ２＋Ｓ１＋Ｓ３＋……＋ＳＮ−３を送信し、
……
第Ｍ個物理リソースで、第Ｍ列データの和、即ちＳＮ＋……＋Ｓ４＋Ｓ２＋Ｓ１を送信する。
【０１１０】
本発明の実施例は、データ受信検出方法を提供する。図５に示すように、下記のステップを含む。
【０１１１】
ステップＳ５０１において、ＵＥは、基地局から送信されるデータを複数物理リソースで受信する。
【０１１２】
ステップＳ５０２において、ＵＥは、複数物理リソースでのデータのマッピング方式に基づいて復調検出を行う。ここで、複数物理リソースには、物理リソースの数以上の複数データがマッピングされ、且つ、複数データのそれぞれが少なくとも一つの物理リソースにマッピングされ、それぞれのデータのマッピング先となる物理リソースの数が完全同一にならない。
【０１１３】
電力制御により、各物理リソースで送信されるデータの数を物理リソースの数より大きくすることができるが、リソースの無駄遣いを避けるため、各物理リソースにマッピングされるデータの数を、前記物理リソースの数以下にする。
【０１１４】
同一の物理リソース上のデータを重畳の方式で送信することが好ましい。即ち、同一の物理リソースにマッピングされるデータは、重畳を経てから送信される。ここで、当該重畳は、線形重畳である。
【０１１５】
マッピングの際に、複数データは、前レイヤにおける各データのマッピング先となる物理リソースの数が次レイヤにおける各データのマッピング先となる物理リソースの数より大きくなるように、複数レイヤに分けられることが好ましい。更に、同一レイヤに分けられる異なるデータは、マッピング先となる物理リソースの数が同一である。ここで、同一種類のレイヤにおいて異なるユーザに属するデータ同士のオーバーラップが最も小さく、異なる種類のレイヤがパターン最大化処理される。
【０１１６】
更に、異なる等価スペクトラム拡散率（即ち０ではない元素の個数）を有する同一種類のレイヤをパターン最大化処理し、同一の等価スペクトラム拡散率を有する同一種類のレイヤを干渉最小化処理する。
【０１１７】
更に、複数データは、一つのユーザに属してもよいが、少なくとも２つのユーザに属してもよい。ＵＥは、復調検出して、自身に属するデータを得る。
【０１１８】
ＵＥは、シリアル干渉消去方式で復調検出を行うことが好ましい。シリアル干渉消去方式は、通常、各レイヤデータを順に復調検出する技術であり、前レイヤの復調検出結果を次レイヤの干渉消去に用い、前レイヤデータ干渉の影響を除去した結果を利用して次レイヤのデータ検出を行う。
【０１１９】
更に、ＵＥは、各データのマッピング先となる物理リソース数が多い方のレイヤのデータを優先的に検出する。
【０１２０】
本発明の実施例のより具体的なデータ受信検出方法は、図６に示すように、下記のステップを含む。
【０１２１】
ステップＳ６０１において、ＵＥは、基地局からデータの数以下の物理リソースで送信される複数データを受信する。前記複数データのそれぞれが少なくとも一つの物理リソースにマッピングされ、それぞれのデータのマッピング先となる物理リソースの数が完全同一にならない。
【０１２２】
ステップＳ６０２において、ＵＥは、シリアル干渉消去受信方式で第１レイヤから、自身対応データを解いて得るまで、各レイヤデータを順に解いていく。
【０１２３】
ステップＳ６０１において、ＵＥは、基地局からＭ個直交する物理リソースで少なくとも２つのユーザに送信されるＮ（Ｍ＜Ｎ）個データを受信することを含むことが好ましい。しかも、下記の要件を満足する。当該Ｎ個データは、Ｋレイヤに分けられ、計Ｍ個非相関物理リソースで送信され、且つ、同一のレイヤのデータについて、当該データ送信用の非相関物理リソースの数が同じであり、前レイヤの各データの送信用の非相関物理リソースの数が次レイヤの各データの送信用の非相関物理リソースの数より大きい。
【０１２４】
第１レイヤから順に各レイヤデータを解くと、各ユーザの平均計算複雑度が小さい。
【０１２５】
また図３ａに示す３つのユーザ、２つの直交する物理リソースを例とする。ユーザ１にとって、ユーザ１の受信信号は、下記になる。
ｙ１１＝ｈ１１（ｓ１＋ｓ２）＋ｎ１１
ｙ１２＝ｈ１２（ｓ１＋ｓ３）＋ｎ１２
ここで、ｈ１１：前半シンボルが経験するチャネル行列；
ｈ１２：後半シンボルが経験するチャネル行列。
【０１２６】
ユーザ１の検出時に、ｓ２、ｓ３は、干渉信号とみなされる。まず、ユーザ１は、受信信号の正規化処理を行う。
【０１２７】
それから、ユーザ１は、ＭＭＳＥ（ｍｉｎｉｍｕｍ  ｍｅａｎ  ｓｑｕａｒｅ  ｅｒｒｏｒ）を利用して検出し、ｓ１＋ｓ２、ｓ１＋ｓ３を得る。
【数１２】
0006293292.tif 000013
【０１２８】
ユーザ２の場合：
ユーザ２の受信信号は、下記になる。
ｙ２１＝ｈ２１（ｓ１＋ｓ２）＋ｎ２１
ｙ２２＝ｈ２２（ｓ１＋ｓ３）＋ｎ２２
【０１２９】
【数１３】
0006293292.tif 000014
【０１３０】
まず、ユーザ２は、受信信号を正規化し、ｓ１＋ｓ２、ｓ１＋ｓ３をそれぞれＴ（１）、Ｔ（２）とし、ＭＭＳＥ検出により、次の結果を得る。
【数１４】
0006293292.tif 000015
【０１３１】
【数１５】
0006293292.tif 000016
【０１３２】
【数１６】
0006293292.tif 000017
【０１３３】
【数１７】
0006293292.tif 000018
【０１３４】
ユーザ３の場合：
ｙ３１＝ｈ３１（ｓ１＋ｓ２）＋ｎ３１
ｙ３２＝ｈ３２（ｓ１＋ｓ３）＋ｎ３２
【０１３５】
【数１８】
0006293292.tif 000019
【０１３６】
【数１９】
0006293292.tif 000020
【０１３７】
本発明の実施例は、図７に示すように、複数データのそれぞれが少なくとも一つの物理リソースにマッピングされ、それぞれのデータのマッピング先となる物理リソースの数が完全同一にならないように、前記複数データを前記データの数以下の物理リソースにマッピングするためのマッピングユニット７０１と、前記物理リソース上のデータを送信するための送信ユニット７０２とを含む基地局を提供する。
【０１３８】
各物理リソースにマッピングされるデータの数は、前記物理リソースの数以下であることが好ましい。
【０１３９】
同一の物理リソースにマッピングされるデータは、重畳を経てから送信されることが好ましい。
【０１４０】
更に、当該重畳は、線形重畳である。
【０１４１】
複数データは、前レイヤにおける各データのマッピング先となる物理リソースの数が次レイヤにおける各データのマッピング先となる物理リソースの数より大きくなるように、複数レイヤに分けられることが好ましい。ここで、同一種類のレイヤにおいて、異なるユーザに属するデータ同士のオーバーラップが最も小さく、異なる種類のレイヤがパターン最大化処理されることが好ましい。
【０１４２】
更に、異なる等価スペクトラム拡散率（即ち０ではない元素の個数）を有する同一種類のレイヤがパターン最大化処理され、同一の等価スペクトラム拡散率を有する同一種類のレイヤが干渉最小化処理される。
【０１４３】
更に、同一のレイヤに分けられる異なるデータは、マッピング先となる物理リソースの数が同一である。
【０１４４】
複数データは、少なくとも２つのユーザに属することが好ましい。
【０１４５】
本発明の実施例によるユーザ機器は、図８に示すように、基地局から送信されるデータを複数物理リソースで受信するための受信ユニット８０１と、複数物理リソースでのデータのマッピング方式に基づいて復調検出を行うための復調ユニット８０２とを含み、ここで、複数物理リソースには、物理リソースの数以上の複数データがマッピングされ、且つ、複数データのそれぞれが少なくとも一つの物理リソースにマッピングされ、それぞれのデータのマッピング先となる物理リソースの数が完全同一にならない。
【０１４６】
各物理リソースにマッピングされるデータの数は、物理リソースの数以下であることが好ましい。
【０１４７】
同一の物理リソースにマッピングされるデータは、重畳を経てから送信されることが好ましい。
【０１４８】
更に、当該重畳は、線形重畳である。
【０１４９】
複数データは、前レイヤにおける各データのマッピング先となる物理リソースの数が次レイヤにおける各データのマッピング先となる物理リソースの数より大きくなるように、複数レイヤに分けられることが好ましい。ここで、同一種類のレイヤにおいて異なるユーザに属するデータ同士のオーバーラップが最も小さく、異なる種類のレイヤがパターン最大化処理されることが好ましい。
【０１５０】
更に、異なる等価スペクトラム拡散率（即ち０ではない元素の個数）を有する同一種類のレイヤがパターン最大化処理され、同一の等価スペクトラム拡散率を有する同一種類のレイヤが干渉最小化処理される。
【０１５１】
更に、同一のレイヤに分けられる異なるデータは、マッピング先となる物理リソースの数が同一である。
【０１５２】
複数データは、少なくとも２つのユーザに属し、ＵＥは、復調検出して、自身に属するデータを得ることが好ましい。
【０１５３】
更に、ＵＥは、シリアル干渉消去方式で復調検出を行う。
【０１５４】
更に、ＵＥは、各データのマッピング先となる物理リソース数が多い方のレイヤのデータを優先的に検出する。
【０１５５】
本発明の実施例は、プロセッサを含む基地局を更に提供する。当該プロセッサは、複数データのそれぞれが少なくとも一つの物理リソースにマッピングされ、それぞれのデータのマッピング先となる物理リソースの数が完全同一にならないように、前記複数データを前記データの数以下の物理リソースにマッピングし、前記物理リソース上のデータを送信するように配置される。
【０１５６】
当該基地局は、本発明の実施例によるデータ伝送方法のほかの機能を実現するように配置されてもよい。
【０１５７】
当該基地局は、データ送信を行う場合に、トランシーバモジュールと無線インタフェースで実現することができる。
【０１５８】
本発明の実施例は、プロセッサを含むユーザ機器を更に提供する。当該プロセッサは、基地局から送信されるデータを複数物理リソースで受信し、複数物理リソースでのデータのマッピング方式に基づいて復調検出を行うように配置される。ここで、複数物理リソースには、物理リソースの数以上の複数データがマッピングされ、且つ、複数データのそれぞれが少なくとも一つの物理リソースにマッピングされ、それぞれのデータのマッピング先となる物理リソースの数が完全同一にならない。
【０１５９】
当該ユーザ機器は、本発明の実施例によるデータ伝送方法のほかの機能を実現するように配置されてもよい。
【０１６０】
当該ユーザ機器は、各メッセージの受信を行う場合に、トランシーバモジュールと無線インタフェースで実現することができる。
【０１６１】
図９に示すように、本発明の実施例による基地局は、メモリの中のプログラムを読み出して、下記プロセスを実行するためのプロセッサ９０と、プロセッサによる制御でデータを送受信するためのトランシーバ９１とを含む。当該プロセスにおいて、複数データのそれぞれが少なくとも一つの物理リソースにマッピングされ、それぞれのデータのマッピング先となる物理リソースの数が完全同一にならないように、前記複数データを前記データの数以下の物理リソースにマッピングする。前記物理リソース上のデータは、トランシーバ９１により送信される。
【０１６２】
データを送信する物理リソースの数がデータの数より小さいため、通信システムのデータ伝送力が向上する。
【０１６３】
リソースの無駄遣いを避けるために、前記プロセッサは、各物理リソースにマッピングされるデータの数を、前記物理リソースの数以下にする。
【０１６４】
トランシーバ９１は、同一の物理リソースにマッピングされるデータを重畳後に送信することが好ましい。
【０１６５】
更に、トランシーバ９１は、用いる前記重畳を線形重畳とする。
【０１６６】
プロセッサ９０は、前レイヤにおける各データのマッピング先となる物理リソースの数が次レイヤにおける各データのマッピング先となる物理リソースの数より大きくなるように、前記複数データを複数レイヤに分けることが好ましい。ここで、同一種類のレイヤにおいて異なるユーザに属するデータ同士のオーバーラップが最も小さく、異なる種類のレイヤがパターン最大化処理される。
【０１６７】
更に、異なる等価スペクトラム拡散率（即ち０ではない元素の個数）を有する同一種類のレイヤがパターン最大化処理され、同一の等価スペクトラム拡散率を有する同一種類のレイヤが干渉最小化処理される。
【０１６８】
更に、プロセッサ９０は、同一のレイヤに分けられる異なるデータを、同一数の物理リソースにマッピングする。
【０１６９】
複数データは、少なくとも２つのユーザに属することが好ましい。
【０１７０】
ここで、図９において、バスアーキテクチャは、任意数の相互接続するバスとブリッジを含み、具体的に、プロセッサ９０をはじめとする１つ又は複数のプロセサとメモリの各種類の回路が接続したものである。バスアーキテクチャは、周辺機器、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバー９１は、複数の部品であってもよく、即ち送信機と受信機を含み、伝送媒体でほかの各種類の装置と通信するユニットとして提供される。プロセッサ９０は、バスアーキテクチャと通常の処理を管理する。メモリは、プロセッサ９０による作業時に使用されるデータを記憶できる。
【０１７１】
図１０に示すように、本発明の実施例は、トランシーバ１０１とプロセッサ１００とを含むユーザ機器を提供する。トランシーバ１０１は、プロセッサによる制御でデータを送受信する。プロセッサ１００は、メモリの中のプログラムを読み出して、以下のプロセスを実行する。当該プロセスにおいて、基地局から送信されるデータをトランシーバ１０１により複数物理リソースで受信し、前記複数物理リソースでの前記データのマッピング方式に基づいて復調検出を行うプロセスを実行する。ここで、前記複数物理リソースには、物理リソースの数以上の複数データがマッピングされ、且つ、複数データのそれぞれが少なくとも一つの物理リソースにマッピングされ、それぞれのデータのマッピング先となる物理リソースの数が完全同一にならない。
【０１７２】
データを送信する物理リソースの数がデータの数より小さいため、通信システムのデータ伝送力が向上する。
【０１７３】
リソースの無駄遣いを避けるために、各物理リソースにマッピングされるデータの数は、前記物理リソースの数以下である。
【０１７４】
同一の物理リソースにマッピングされるデータは、重畳を経てから送信されることが好ましい。
【０１７５】
更に、前記重畳は、線形重畳である。
【０１７６】
前記複数データは、前レイヤにおける各データのマッピング先となる物理リソースの数が次レイヤにおける各データのマッピング先となる物理リソースの数より大きくなるように、複数レイヤに分けられることが好ましい。ここで、同一種類のレイヤにおいて異なるユーザに属するデータ同士のオーバーラップが最も小さく、異なる種類のレイヤがパターン最大化処理されることが好ましい。
【０１７７】
更に、異なる等価スペクトラム拡散率（即ち０ではない元素の個数）を有する同一種類のレイヤがパターン最大化処理され、同一の等価スペクトラム拡散率を有する同一種類のレイヤが干渉最小化処理される。
【０１７８】
更に、同一のレイヤに分けられる異なるデータは、マッピング先の物理リソースの数が同一である。
【０１７９】
更に、前記複数データは、少なくとも２つのユーザに属し、トランシーバ１０１は、復調検出して、自身に属するデータを得る。
【０１８０】
更に、トランシーバ１０１は、シリアル干渉消去方式で復調検出を行う。
【０１８１】
更に、プロセッサ１００は、各データのマッピング先となる物理リソース数が多い方のレイヤのデータを優先的に検出する。
【０１８２】
図１０において、バスアーキテクチャは、任意数の相互接続するバスとブリッジを含み、具体的に、プロセッサ１００をはじめとする１つ又は複数のプロセサとメモリをはじめとするメモリの各種類の回路が接続したものである。バスアーキテクチャは、周辺機器、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバー１０１は、複数の部品であってもよく、即ち送信機と受信機を含み、伝送媒体でほかの各種類の装置と通信するユニットとして提供される。ユーザ機器によっては、ユーザインタフェースは、必要な機器の内部接続や外部接続するインタフェースであってもよい。接続する機器は、キーパッド、ディスプレイ、スピーカ、マイクロフォン、ジョイスティックなどを含むが、それらに限られない。
【０１８３】
プロセッサ１００は、バスアーキテクチャと通常の処理を管理する。メモリは、プロセッサ１００による作業時に使用されるデータを記憶できる。
【０１８４】
本発明の実施例は、非直交方式に基づくデータ伝送方法、データ受信検出方法及び基地局、ユーザ機器を提供する。基地局からのデータ送信時に、まず、複数データのそれぞれが少なくとも一つの物理リソースにマッピングされ、それぞれのデータのマッピング先となる物理リソースの数が完全同一にならないように、前記複数データを前記データの数以下の物理リソースにマッピングし、それから物理リソース上のデータを送信する。よって、多いデータの少ない物理リソースによる送信が実現され、通信システムのデータ伝送力が向上する。
【０１８５】
本発明の実施例は、方法、システム、又はコンピュータプログラムプロダクトとして提供されうると当業者が理解できる。従って、本発明は、完全ハードウェアの実施例、完全ソフトウェアの実施例、又はソフトウェアとハードウェアを組み合わせた実施例の形態を取り得る。しかも、本発明は、コンピュータ利用可能プログラムコードを含む１つ又は複数のコンピュータ利用可能記憶媒体（磁気ディスクメモリ、ＣＤ−ＲＯＭ、光学メモリなどを含むが、それらに限らない）で実施されるコンピュータプログラムプロダクトの形態を取り得る。
【０１８６】
本発明は、本発明の実施例による方法、デバイス（システム）及びコンピュータプログラムプロダクトのフロー図及び／又はブロック図を参照にして記載されている。フロー図及び／又はブロック図における各フロー及び／又はブロック、及びフロー図及び／又はブロック図におけるフロー及び／又はブロックの組み合わせは、コンピュータプログラムコマンドにより実現されうると理解されるべきである。これらのコンピュータプログラムコマンドを通用コンピュータ、専用コンピュータ、嵌め込み式処理機又は他のプログラマブルデータ処理デバイスのプロセッサに提供して１つの機器を形成し、コンピュータ又は他のプログラマブルデータ処理デバイスのプロセッサに実行される指令により、フロー図の１つ又は複数のフロー及び／又はブロック図の１つ又は複数のブロックで指定される機能を実現するための装置を形成する。
【０１８７】
これらのコンピュータプログラムコマンドは、コンピュータ又は他のプログラマブルデータ処理デバイスの特定の方式での動作を導けるコンピュータ読み出し可能メモリに格納されてもよく、当該コンピュータ読み出し可能メモリに格納されるコマンドにより、コマンド装置を含むプロダクトを形成する。当該コマンド装置は、フロー図の１つ又は複数のフロー及び／又はブロック図の１つ又は複数のブロックで指定される機能を実現する。
【０１８８】
これらのコンピュータプログラムコマンドは、コンピュータ又は他のプログラマブルデータ処理デバイスにロードされてもよく、コンピュータ又は他のプログラマブルデータ処理デバイスで一連の操作工程を実行することにより、コンピュータで実現される処理を形成し、コンピュータ又は他のプログラマブルデータ処理デバイスで実行されるコマンドにより、フロー図の１つ又は複数のフロー及び／又はブロック図の１つ又は複数のブロックで指定される機能を実現するためのステップを提供する。
【０１８９】
本発明の好ましい実施例を記載したが、当業者は、いったん創造性を持つ基本的概念を知ると、これらの実施例について別途に変更や修正をすることができる。従って、添付する請求項は、好ましい実施例、及び、本発明の範囲にカバーされる全ての変更や修正を含むものであると解釈されることを意図とする。
【０１９０】
明らかに、当業者は、本発明の精神や範囲を逸脱せずに、本発明に対して様々な変更や変形をすることができる。このように、本発明のこれらの修正や変形が本発明の請求項及びその同等の技術範囲に含まれるものであれば、本発明は、これらの変更や変形を含むことを意図とする。
【図１】
0006293292.tif 000021
【図２】
0006293292.tif 000022
【図３ａ】
0006293292.tif 000023
【図３ｂ】
0006293292.tif 000024
【図３ｃ】
0006293292.tif 000025
【図４】
0006293292.tif 000026
【図５】
0006293292.tif 000027
【図６】
0006293292.tif 000028
【図７】
0006293292.tif 000029
【図８】
0006293292.tif 000030
【図９】
0006293292.tif 000031
【図１０】
0006293292.tif 000032